(57)【要約】【課題】可倒式ＡＣプラグの電気的な接続をブレードが起立された状態から電気的に接続できるようにして、ブレードの姿勢が９０度、１８０度の位置でも電気的な接続が得られるＡＣプラグを備えた器具、例えば、ＡＣアダプター、充電器等を提供する。【解決手段】ＡＣプラグを備えた器具は、コンセントに抜差するブレードが回動して出没自在な構造のＡＣプラグを備えた器具であって、絶縁性樹脂で形成された回動本体に植設した一対のブレードの夫々に電気的に接続すると共に回動本体の両端面の偏心位置に配設した凸形状の接点端子部を備えるＡＣプラグと、回動本体の両端部側に配置されると共に略く字型形状に形成した接点板バネとを有し、一対のブレードを回動して起立状態になることに連動して回動する接点端子部が接点板バネの面に摺動して当接すると共に更に一対のブレードを回動させて没状態と反対方向に回動したときに連動して回動する接点端子部が接点板バネの面に当接した状態を維持して摺動することである。【選択図】　　　　図１
2004095431.tif 000002
【特許請求の範囲】
【請求項１】
コンセントに抜差するブレードが回動して出没自在な構造のＡＣプラグを備えた器具であって、
絶縁部材で形成された回動本体に植設した一対のブレードの夫々に電気的に接続すると共に前記回動本体の両端面の偏心位置に配設した凸形状の接点端子部を備えるＡＣプラグと、
前記回動本体の両端部側に配置されると共に略く字型形状に形成した接点板バネとを有し、
前記一対のブレードを回動して起立状態になることに連動して回動する前記接点端子部が前記接点板バネの面に摺動して当接すると共に更に一対のブレードを回動させて没状態と反対方向に回動したときに連動して回動する前記接点端子部が前記接点板バネの面に当接した状態を維持して摺動することを特徴とするＡＣプラグを備えた器具。
【発明の詳細な説明】
【０００１】
【発明の属する技術分野】
本発明は、ＡＣプラグを備えた器具に関し、詳しくはＡＣアダプタ或いは小型電池の充電器等において、ＡＣコンセントに取着されて通電を行うためのＡＣプラグを備えた器具に関する。
【０００２】
【従来の技術】
従来技術におけるＡＣアダプタ或いは小型電池の充電器に使用されているものは、携帯並びに収納等を考慮して、ＡＣコンセントに直接装着する可倒式ＡＣアダプタが周知である。
【０００３】
第１の例の可倒式ＡＣアダプタの構造は、図８及び図９に示すように、外装体である筐体１１１内に電池１１２、ＡＣプラグ１１６、筐体１１１と一体に形成された立設片１１４、麟青銅等の接点部材１１５、回路基板１１３からなる。
【０００４】
このような構成において、ＡＣプラグ１１６の両側の突起部１１９が立設片１１４の凹部１１７に嵌合する際に、一部が湾曲しバネ性を有しない接点部材１１５が挟持される。この接点部材１１５はＡＣプラグ１１６の両側電極１１８と当接し、更に接点部材１１５から延在するリード線が回路基板１１３の導体パターンに接続されている。
又、ＡＣプラグ１１６の突起部１１９が筐体１１１に遊挿されて、Ａ乃至Ｂ方向に回動可能に構成されている。
【０００５】
第２の例の可倒式ＡＣアダプタの構造は、図１０〜図１３に示すように、外装体である筐体１２１と、Ｎｉ―Ｃｄ電池１２２と、ＡＣプラグ１２３と、筐体１２１に一体に形成された立設片１２４と、回路基板１２５と、この回路基板１２５に固着される麟青銅等で生成されている接点部材１２６とで概略構成されている。
立設片１２４は、回路基板１２５と直交するような位置関係で筐体１２１に設けられている。
そして、ＡＣプラグ１２３には、その両側に突起部１２７が形成されると共に、電極１２８から延在して接点部位１２９が形成されている。又、接点部材１２６は図示しない舌片が回路基板１２５の導体パターンにハンダ付けされた固着配設されている。
【０００６】
このような構成において、ＡＣプラグ１２３の両側に設けられた突起部１２７が立設片１２４のＵ字状の凹部１３０に嵌合し、Ａ乃至Ｂ方向に回動可能に構成されている。
ここで、使用時或いはＡＣプラグがＡ方向において倒立されるが、この場合、図１２、図１３に示されるように、接点部材１２６に接点部位１２９が接触状態となると共に、積極的に接点部位の両側面が挟持されてその倒立状態が保持されることになる。
このようにＡＣプラグがＡ乃至Ｂ方向の移動において接点部位１２９が接点部材１２６に夫々嵌合／離脱する、所謂、クリーニング効果が得られて長期にわたり接点部材１２６の良好な接触状態が得られる。又は，接点部位１２９と接点部材１２６の接合時には、その接点圧によりＡＣプラグ１２３が積極的に保持される。
【０００７】
【特許文献１】
実用新案登録第２５４５８２２号公報　（第２頁　第１図　第４図）
【０００８】
【発明が解決しようとする課題】
しかしながら、従来技術で説明した可倒式ＡＣアダプタにおいて、第１の例の可倒式ＡＣアダプタにおいては、ＡＣプラグの両側電極が常時接点部材と当接した状態でないと使用できず、電極が筐体から９０度回転した状態でないと使用できない。
又、第２の例の可倒式ＡＣアダプタにおいても、電極を筐体から９０度回転させた状態でないと使用できないという問題がある。
【０００９】
従って、ＡＣプラグを備えた器具において、特に可倒式のＡＣアダプタにおいて、回動して出没自在なブレードが筐体に対して９０度或いは１８０度の位置でも使用できるような構造のＡＣプラグを備えた器具に解決しなければならない課題を有する。
【００１０】
【課題を解決するための手段】
上記の課題を解決するために、本発明に係るＡＣプラグを備えた器具は、次に示す構成にすることである。
【００１１】
（１）ＡＣプラグを備えた器具は、コンセントに抜差するブレードが回動して出没自在な構造のＡＣプラグを備えた器具であって、絶縁部材で形成された回動本体に植設した一対のブレードの夫々に電気的に接続すると共に前記回動本体の両端面の偏心位置に配設した凸形状の接点端子部を備えるＡＣプラグと、前記回動本体の両端部側に配置されると共に略く字型形状に形成した接点板バネとを有し、前記一対のブレードを回動して起立状態になることに連動して回動する前記接点端子部が前記接点板バネの面に摺動して当接すると共に更に一対のブレードを回動させて没状態と反対方向に回動したときに連動して回動する前記接点端子部が前記接点板バネの面に当接した状態を維持して摺動することである。
【００１２】
このように、ブレードを起立状態或いは没状態と反対方向に回動したときに、ブレードに通電できるようにしたことにより、使用するコンセントに対してフレキシブルに対応できるようになる。
【００１３】
【発明の実施の形態】
次に、本発明に係るＡＣプラグを備えた器具の実施形態について、図面を参照して説明する。
【００１４】
本発明に係るＡＣプラグを備えた器具であるＡＣアダプタは、図１に示すように、直方体形状に形成された筐体１１と、この筐体１１の前部分にＡＣプラグを回動させて出没自在に収納するプラグ収納部１２と、このプラグ収納部１２の底部に備えた回路基板１３と、プラグ収納部１２に収納されているＡＣプラグ１４と、ＡＣプラグ１４の回動を支持する回動軸受部１５と、ＡＣプラグ１４が回動して略起立状態になるときにＡＣプラグ１４と電気的に接続する接点板バネ１６とから概略構成されている。
【００１５】
ＡＣプラグ１４は、図４に示すように、絶縁性樹脂で直方体形状に形成され、その外側長手方向が半円筒形状に形成された回動本体１７と、この回動本体１７の四角形状に形成された側に、長手方向に対して起立した状態で植設されている一対のブレード１８と、回動本体１７の両端面に円形状の凸形状に形成された回動軸１９と、この回動軸１９の中心位置から偏心した位置に設けた凸形状に形成した接点端子部２０とを備えた構成になっている。接点端子部２０は、回動本体１７内部において、ブレード１８と電気的に接続した状態で組み込まれている。
【００１６】
接点板バネ１６は、図１に示すように、略く字型形状に形成され弾性力を有すると共に導電部材としてのターミナルの役目もするのであり、回動軸１９の偏心した位置に設けた接点端子部２０に当接して電気的に接続する。
【００１７】
次に、このような構成からなるＡＣアダプタの動作について図面を参照して説明する。
【００１８】
先ず、ブレード１８が没の状態で筐体１１内部に収納されているときは、図５（及び図１）に示すように、ブレード１８がプラグ収納部１２に収納され、接点端子部２０は筐体１１の側壁面２１側に位置し、接点板バネ１６とは離間した状態となっている。従って、ブレード１８への通電はなされていない。
【００１９】
この状態で、ブレード１８を回動させて、９０度又は略９０度の起立状態にすると、図６（及び図２）に示すように、一対のブレード１８を回動して起立状態になることに連動して回動する接点端子部２０が接点板バネ１６の面に摺動して当接する。従って、ブレード１８が起立状態になったときに接点端子部２０が接点板バネ１６に電気的に接続するため、ブレード１８は通電される。この状態でブレード１８をコンセントに差し込めば電源がブレード１８を介して回路基板１３側に供給される。
【００２０】
そして、起立状態でコンセントに差し込めない場合等のときは、図７（及び図３）に示すように、更に一対のブレード１８を回動させて、１８０度又は略１８０度の没状態と反対方向まで回動させる。このように没状態と反対方向まで回動させると、連動して回動する接点端子部２０が接点板バネ１６の面に当接した状態を維持して摺動する。この摺動状態は、当接力を殆ど変化させないで回動する。
従って、ブレード１８が没状態から起立状態に回動したときに接点端子部２０が接点板バネ１６に電気的に接続することを維持するため、ブレード１８は通電された状態を維持する。この状態でブレード１８をコンセントに差し込めば電源がブレード１８を介して回路基板１３側に供給される。
【００２１】
【発明の効果】
以上、説明したように、本発明に係るＡＣプラグを備えた器具は、ブレードを回動して起立状態或いは没状態の反対方向まで回動させて立ち上げることができるようにしたことにより、使用形態によってどちらかを任意に選択して使用することができ、使用勝手を向上させることができるという効果がある。
【図面の簡単な説明】
【図１】本発明に係るＡＣプラグを備えた器具であるＡＣアダプタの全体構成を示した略示的な斜視図である。
【図２】同ブレードが起立状態のＡＣアダプタの全体構成を示した略示的な斜視図である。
【図３】同ブレードが没状態から反対方向に回動したときのＡＣアダプタの全体構成を示した略示的な斜視図である。
【図４】同ＡＣプラグの構成を示した斜視図である。
【図５】本発明に係るブレードが没状態で収納されているときの接点端子部と接点板バネとの関係を示した説明図である。
【図６】同ブレードが起立状態のときの接点端子部と接点板バネとの関係を示した説明図である。
【図７】同ブレードが没状態の反対方向に回動したときの接点端子部と接点板バネとの関係を示した説明図である。
【図８】従来技術における可倒式ＡＣプラグの構成を示した断面図である。
【図９】図８に示すＡＣプラグの構造を示した斜視図である。
【図１０】従来技術におけるほかの例の可倒式ＡＣプラグの断面図である。
【図１１】同図１０におけるＡＣプラグの構造を示した部分的な斜視図である。
【図１２】同図１０における接点部分を示した斜視図である。
【図１３】同図１０における従来技術における可倒式ＡＣプラグの構成を示した断面図である。
【符号の説明】
１１；筐体、１２；プラグ収納部、１３；回路基板、１４；ＡＣプラグ、１５；回動軸受部、１６；接点板バネ、１７；回動本体、１８；ブレード、１９；回動軸、２０；接点端子部、２１；側壁面。
【図１】
2004095431.tif 000003
【図２】
2004095431.tif 000004
【図３】
2004095431.tif 000005
【図４】
2004095431.tif 000006
【図５】
2004095431.tif 000007
【図６】
2004095431.tif 000008
【図７】
2004095431.tif 000009
【図８】
2004095431.tif 000010
【図９】
2004095431.tif 000011
【図１０】
2004095431.tif 000012
【図１１】
2004095431.tif 000013
【図１２】
2004095431.tif 000014
【図１３】
2004095431.tif 000015